(57)【要約】   【課題】  液体の注ぎ入れや液体容器ケースの分割などの作業手順を排除して少ない作業手順にて液体を補充することを目的とする。  【解決手段】  ホルダー１００は上面開口１１１と側面開口１１２を持つホルダー筒口１１０とホルダーボディ１２０と壁面開口１２２と支持体１３０を備える。液体容器２００は、液体容器筒体２１０と液体容器本体２２０を備える。液体容器筒体２１０は上面開口２１１と構造体２１２から２１５を備える。２１５は液体容器本体２２０に挿入され液体容器本体の口が封止されている。側面開口１１２と壁面開口１２２は一体の開口を形成する。液体容器本体２２０を壁面開口１２２から挿入し、液体容器筒体２１０を側面開口１１２から通し入れつつ支持体１３０に取り付けて液体容器２００をホルダー１００内に装着する。ヘッドキャップ１５を閉めて全体を固定する。【選択図】  図１
2005255215.tif 000002
【特許請求の範囲】
【請求項１】
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、利用者による前記ホルダーの握り締めに抗する構造上の強度を与えるグリップ補強具であって、上面開口と底面開口と側壁を備え、前記ホルダーボディの壁面上に被せて装着できる筒形状であり、利用者が前記グリップ補強具の側壁を握り締めることにより外界から前記ホルダーに加えられる力に抗する構造的強度を備えたグリップ補強具とを備えた、内部に液体が収納されている液体収納製品。
【発明の詳細な説明】
【技術分野】
【０００１】
この発明は、液体洗剤、液体薬剤、液体化粧品、飲料水、てんぷら油、醤油、液体調味料などの液体を容器内に収納した液体収納製品に関する。
【背景技術】
【０００２】
一般に、キッチン用品や生活用品として用いる各種液体洗剤や液体薬剤の容器であって、利用者の操作により少量ずつ排出するものとして、トリガー式の液体噴霧容器や手押しポンプ式の液体ポンプ容器が知られている。
これら従来容器では、液体容器内の液体が無くなると、詰め替え用のフィルムパックから中身の液体を液体容器に注いで詰め替える必要がある。
しかし、上記の詰め替えフィルムパックによる液体の詰め替え作業は時間がかかり、液体が漏れるおそれがあり、利用者にとって煩わしい。その問題を解決すべく、液体容器として多数の方式が提案されている。
液体容器本体を開閉自在な分割構造体とし、詰め替えパックを取り付ける際に液体容器本体を分割し、詰め替えパックを液体容器内部に収納し、再び液体容器本体を合体する方式が知られており、左右に分割するもの（例えば、特許文献１、特許文献２参照。）、上下に分割するもの（例えば、特許文献１、特許文献３参照。）、構造の一部に開口を有するもの（例えば、特許文献４、特許文献５参照。）などが提案されている。
【０００３】
【特許文献１】特開２００２−２２５９４０号公報（図１−図１１）
【特許文献２】特開平１１−２３６０８４号公報（図１−図２）
【特許文献３】特開平１０−３５７０７号公報（図１−図４）
【特許文献４】実開平０５−３４１８４号公報
【特許文献５】実開平０７−１５５６６号公報
【発明の開示】
【発明が解決しようとする課題】
【０００４】
上記の特許文献１、２、３に開示された技術では、以下の問題を有していた。
第１の問題は、上記した詰め替えフィルムパックを取り付ける作業を、液体容器本体が分割された状態で行なうのは難しいという問題である。
第２の問題は、液体容器本体を分割構造とするために、構造的な強度が弱くなるという問題である。
特許文献１から３の技術は、詰め替え用の液体を注ぎ替える手間を省くという目的において本願発明と共通するが、その構成において全く異なるものである。
【０００５】
次に、上記の特許文献４およびその改良発明である特許文献５に開示された技術では以下の問題を有していた。
第１の問題は、袋状容器体が脱離するおそれがある問題である。
特許文献４および５のものは、液体容器本体はキャップを取り付けた袋状容器体を立て掛けるスタンドとして機能しており、物理的には袋状容器体は栓体を介して液体容器本体に係止されているのみで、液体容器本体への取り付け、取り外しの可逆の動作が可能の状態にある。そのため、当該容器の使用時にキャップごと袋状容器体が一体に横方向にずれることにより図４の逆の動きが起こり、袋状容器体がずれたり脱離したりする危険がある。
第２の問題は、構造的強度の問題である。側面に大きく開口を持つので容器全体の構造的強度が弱い。特に、トリガー式の液体噴霧容器に適用した場合には、液体容器本体を握るため、構造的強度の問題が大きくなる。また、外界からゴミや水滴が側面開口を介して内部に流入するおそれもある。
本発明は、以上のような問題を解決すべく、詰め替え用フィルムパックから液体を液体容器に注いで詰め替える必要を排除し、かつ、液体容器本体を分割するなどの作業を排除して少ない作業手順にて詰め替えフィルムパックを取り付け、液体容器本体の構造を簡単なものとし、部品の不用意な脱離がなく、構造的強度を高めた液体収納製品を提供することを目的とする。
【課題を解決するための手段】
【０００６】
本発明の第１の液体収納製品は、
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、利用者による前記ホルダーの握り締めに抗する構造上の強度を与えるグリップ補強具であって、上面開口と底面開口と側壁を備え、前記ホルダーボディの壁面上に被せて装着できる筒形状であり、利用者が前記グリップ補強具の側壁を握り締めることにより外界から前記ホルダーに加えられる力に抗する構造的強度を備えたグリップ補強具を備えた、内部に液体が収納されている液体収納製品である。
【０００７】
なお、本発明の液体収納製品のバリエーションとして以下のものを開示する。
本発明の第２の液体収納製品は、
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、利用者による前記ホルダーの握り締めに抗する構造上の強度を与えるグリップ補強具であって、上面開口と底面開口と側壁を備え、前記ホルダーボディの壁面上に被せて装着できる筒形状であり、利用者が前記グリップ補強具の側壁を握り締めることにより外界から前記ホルダーに加えられる力に抗する構造的強度を備えたグリップ補強具を備えた、内部に液体が収納されている液体収納製品である。
【０００８】
本発明の第３の液体収納製品は、
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備え、前記ホルダーボディの壁面上に被せて装着できる筒形状であり、外界から前記ホルダーに加えられる力に抗する構造的強度を備えたカバーを備えた、内部に液体が収納されている液体収納製品である。
【０００９】
本発明の第４の液体収納製品は、
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備え、前記ホルダーボディの壁面上に被せて装着できる筒形状であり、外界から前記ホルダーに加えられる力に抗する構造的強度を備えたカバーを備えた、内部に液体が収納されている液体収納製品である。
【００１０】
上記第１から第４の液体収納製品の違いを整理すると、第１の液体収納製品と第２の液体収納製品はグリップ補強具を備えており、第３の液体収納製品と第４の液体収納製品はカバーを備えている。また、第１の液体収納製品と第３の液体収納製品はヘッドキャップがホルダー側に取り付けられ、第２の液体収納製品と第４の液体収納製品はヘッドキャップが液体容器側に取り付けられる。
上記第１から第４の液体収納製品において、液体容器筒体と支持体の両者の組み合わせは、支持体が液体容器筒体を支持できるものであれば良く特に限定されない。支持方式としては、例えば、嵌合方式、フック方式、コンセント−プラグ方式、係止方式、螺合方式など多様な方式が適用できる。
【００１１】
なお、液体収納製品において、ノズルと、前記ノズルに連通する液体導入管と、前記液体導入管から液体を汲み上げて前記ノズルから排出する排出機構と、前記ヘッドキャップであって前記液体導入管に回動自在に設けたヘッドキャップとを備えた液体排出ヘッドを備え、前記液体容器筒体内および前記液体容器本体内に前記液体排出ヘッドの液体導入管を挿入して前記ヘッドキャップを取り付けて前記排出ヘッドを固定したものとすれば、多様な用途の液体収納製品とすることができる。例えば、ヘッドキャップをいわゆるトリガー式の液体噴霧ヘッドを備えたもの、いわゆるポンプ式の液体噴霧ヘッドを備えたもの、液体流出孔と開閉蓋を備えたものとするなど多様な液体排出ヘッドのヘッドキャップとすることができる。また例えば、ヘッドキャップをトリガー式の液体噴霧ヘッドを備えたものとすれば、薬液を霧状に噴霧させる液体収納製品に適用することができ、ヘッドキャップをポンプ式の液体噴霧ヘッドを備えたものとすれば、利用者がポンプヘッドを押し込んで、シャンプーなどの中身の液体を少量ずつ噴霧させる液体収納製品に適用することができ、ヘッドキャップを液体流出孔と開閉蓋を備えたものとすれば、利用者が液体収納製品全体を傾けて内部の液体を流出させるタイプの液体収納製品に適用することができる。
なお、上記第１から第４の液体収納製品において、グリップ補強具またはカバーを用いない構成も可能である。
【発明の効果】
【００１２】
上記構成により、以下の効果が得られる。
第１に、液体の詰め替えが簡単にできる。詰め替え用の液体容器をホルダーの壁面開口から投入して液体容器筒体を支持体に取り付けることにより簡単に詰め替えを行なうことができる。グリップ補強具やカバーはホルダーに被せることにより簡単に装着することができる。また、詰め替え用液体が気密されたまま取り替えることができ、液体を外気にさらすことはなくなる。ホルダーには壁面開口が設けられているが、カバーを取り付けることにより壁面開口を塞ぐことができ、壁面開口からの水滴などの流入を防ぐことができる。
第２に、液体収納製品の構造的強度の向上効果が得られる。グリップ補強具により液体収納製品のグリップ部分の構造的強度が補強される。同様に、カバーにより液体収納製品の開口部分の構造的強度が補強される。液体収納製品全体の構造的強度も向上することができる。グリップ補強具やカバーはホルダーの装着個所に沿う形状を持つ筒状のものであり、握り締めに対して強い強度を持つ。
第３に、ホルダーからの液体容器の抜け出しを防止する閉じ込め効果が得られる。グリップ補強具またはカバーをホルダーに被せて装着した状態において、液体容器筒体の少なくとも一部がグリップ補強具またはカバーの中に挿入された状態であれば、液体容器筒体は水平方向には筒状のグリップ補強具またはカバーの閉ループの中に閉じ込められるので、液体容器筒体の水平方向の移動は制限されることとなる。また、液体容器筒体の垂直方向の移動は、第１の液体収納製品または第３の液体収納製品では上方向の移動はヘッドキャップとホルダー筒口により制限され、下方向の移動は支持体により制限されている。また、第２の液体収納製品または第４の液体収納製品では上下方向とも移動が支持体により制限されている。よって、液体容器筒体が上下方向、水平方向いずれの移動も物理的に制限されることとなり、液体容器筒体がホルダーから抜け出ることがなくなる。
なお、第２の液体収納製品または第４の液体収納製品において、グリップ補強具またはカバーをホルダーに被せて装着した状態において、グリップ補強具またはカバーの上縁が支持体より上に位置し、当該部分の内周がホルダーに取り付けられている液体容器筒体の外周と沿う形で嵌合し合うものとすれば、液体容器筒体の水平方向の遊びがなくなり、より一層液体容器筒体の水平方向の固定が確実となる。
第４に、各構成要素が締め付け合って固定し合う締め付け効果を得る工夫をすることができる。
第１の液体収納製品または第３の液体収納製品では、ヘッドキャップをホルダー筒口に取り付けた状態において、ヘッドキャップの下縁がグリップ補強具の上縁を押え付けるように工夫すれば、ヘッドキャップ、ホルダー、グリップ補強具が締め合って固定し合う効果を得ることができる。
第２の液体収納製品または第４の液体収納製品では、ヘッドキャップを液体容器筒体に取り付けた状態において、ヘッドキャップの下縁がホルダーボディ、支持体、グリップ補強具（またはカバー）いずれかの上縁を押え付けるように工夫すれば、各構成要素が締め付け合って固定し合う効果を得ることができる。ヘッドキャップの下縁がホルダーボディ、支持体、グリップ補強具（またはカバー）いずれかの上縁を押え付けている状態では、力学的にはヘッドキャップの下縁が上向きに受ける抗力は液体容器筒体に伝えられるところ、液体容器筒体には、逆に、当該抗力と同じ強さの下向きの力を支持体から加えられている状態（上に引っ張られている状態）であり、液体容器筒体と支持体の接点において両者が上下方向に締め合っている。そのため、液体容器筒体と支持体の間の摩擦力が増え、液体容器のスライド移動を防止するスライド防止効果、摩擦力増大効果が得られる。また、各構成要素が相互に締め合って固定されるという締め付け効果が得られるので、液体収納製品全体がしっかりと安定することとなる。
【００１３】
なお、グリップ補強具またはカバーを用いない構成でも以下の効果を得る工夫を施すことができる。
第１の液体収納製品または第３の液体収納製品において、グリップ補強具またはカバーを用いない構成では、構造的強度の向上効果は得られないものの、液体詰め替え容易性は得られる。また、密閉性は低減するが、液体容器筒体の構造のうち支持体の上に乗せられる構造体に対する閉じ込め効果は得られる。つまり、ヘッドキャップ、支持体、ホルダーの３者による液体容器筒体の当該構造体に対する閉じ込め効果は得ることができる。
第２の液体収納製品または第４の液体収納製品において、グリップ補強具またはカバーを用いない構成でも、構造的強度の向上効果は得られないものの、液体詰め替え容易性は得られる。また、密閉性は低減するが、以下の締め付け効果、液体容器のスライド移動を防止するスライド防止効果が得られる。ヘッドキャップを液体容器筒体に取り付けた状態において、ヘッドキャップの下縁が支持体の上縁またはホルダーボディの上縁を押え付けている状態では、力学的にはヘッドキャップの下縁が上向きに受ける抗力は液体容器筒体に伝えられるところ、液体容器筒体には、逆に、当該抗力と同じ強さの下向きの力を支持体から加えられている状態（上に引っ張られている状態）であり、液体容器筒体と支持体の接点において両者が上下方向に締め合っている。そのため、液体容器筒体と支持体の間の摩擦力が増え、液体容器のスライド移動を防止するスライド防止効果、摩擦力増大効果が得られる。各構成要素が相互に締め合って固定されるという締め付け効果が得られるので、液体収納製品全体がしっかりと安定することとなる。
【００１４】
本願発明の液体収納製品を用いれば、液体容器を使い捨てパックとして別売りすることができ、かつ、廃棄の際に廃棄物の容積を小さくすることができる。本発明の液体収納製品によれば、交換するものはホルダーボディの内部に取り付ける、例えばフィルム状の液体容器のみであり、排出するゴミ容量を低減することができ、従来のボトル形状のままリサイクルに回されていた形態に比べてリサイクル業者が取り扱いやすくなる。
従来のフィルムパックでは利用者の廃棄時、行政によるゴミ回収時、リサイクル業者による取り扱い時に液漏れ、液だれするおそれがあるが、本願発明では閉塞キャップを用いることにより、使用後の液体容器の廃棄時にも液体容器筒体の開口を確実に閉塞することができ、液漏れ、液だれすることがない。
【発明を実施するための最良の形態】
【００１５】
以下、図面を参照しつつ、本発明の液体収納製品の実施例を説明する。ただし、本発明の液体収納製品は以下の具体例に限定されるものではない。
ここで、以下の説明において、グリップ補強具とカバーはその用途が異なるが、グリップ部分を覆う目的のグリップ補強具の形状と、壁面開口を覆う目的のカバーの形状が同じものとなる場合は有り得る。そこで、以下の実施例の説明において、グリップ補強具の説明をカバーの説明に読み替えることは可能である。
【実施例１】
【００１６】
実施例１は、本発明の第１の液体収納製品の構成例である。
以下の実施例１の液体収納製品では、支持体が液体容器筒体の一部の形状と嵌合し合う形状をしており、液体容器筒体を支持体に対して横方向から押し込んで嵌合させる水平嵌合方式の構成例を示す。
また、ヘッドキャップがいわゆるトリガー式の液体噴霧ヘッドに組み込まれたヘッドキャップの例を説明する。
図１は、本発明の実施例１の液体収納製品を分解してその構成部品を模式的に示した図（右側面図）である。本発明の実施例１の液体収納製品は、液体排出ヘッド１０、ホルダー１００、液体容器２００の３つの構成部品を備えている。図１ではグリップ補強具の図示は除いている。
【００１７】
まず、液体排出ヘッド１０を説明する。
液体排出ヘッド１０はヘッドキャップ１５を備えた構成部品であり、この例ではトリガー式の液体噴霧ヘッドとなっている。本発明では、ヘッドキャップ１５を備えておれば液体噴霧ヘッド１０の構造は特に限定されず、市販されている公知の液体噴霧ヘッドであっても適用可能である。図１に示した例では、液体噴霧ヘッド１０は、噴霧ノズル１１と、噴霧ノズル１１に連通する液体導入管１２と、液体導入管１２から液体を汲み上げて噴霧ノズルから噴霧する噴霧機構１３と、トリガー１４と、ヘッドキャップ１５とを備えている。
ヘッドキャップ１５は液体導入管１２に回動自在に取り付けられており、後述するホルダー筒口の外周壁に設けられた外ネジである構造体１１３と螺合する内ネジが設けられている。また、ヘッドキャップ１５の内面の上面にはパッキンを設ける構造としても良い。
【００１８】
次に、ホルダー１００を説明する。
図２は、ホルダー１００の６面図を模式的に並べて示したものである。
ホルダー１００はホルダー筒口１１０と、ホルダー筒口１１０につながるホルダーボディ１２０と、支持体１３０を備えている。ホルダー１００は硬質のしっかりした強度を持つ素材で形成されている。素材は特に限定されず、例えば、プラスチック、ＰＥＴ、ガラス、金属など多様なものが含まれる。
ホルダー筒口１１０は、上面開口１１１、外周壁に設けられている側面開口１１２、ホルダー筒口の外周壁に設けられた構造体１１３を備えている。実施例１では、ホルダー筒口の構造体１１３は、ホルダー筒口の外周壁に設けられ、ヘッドキャップ１５の内周壁の内ネジと螺合する外ネジとなっている。本来は周回している外ネジの一部が側面開口１１２によって切断されているが、側面開口１１２の幅が小さい場合（例えば、外周長の１／４以下）、ヘッドキャップ１５の内周壁の内ネジとの螺合は問題なく行なえる。
この例では側面開口１１２はホルダー筒口の構造体１１３の一部を切断する形で設けられ、側面開口１１２から内部の支持体１３０の一部が見えている。なお、支持体１３０がホルダー筒口１１０の内部に設けられている。
【００１９】
ホルダーボディ１２０は、中空のキャビティを持ち、上面開口１２１、ホルダーボディの壁面開口１２２を備えている。
ホルダーボディ１２０の上面開口１２１は、ホルダーボディ１２０とホルダー筒口１１０の境界面でホルダー筒口１１０につながっている開口である。図中の付番は省略している。
ホルダーボディの壁面開口１２２は、ホルダーボディ１２０の壁面の一部に設けられ、ホルダー筒口の側面開口１１２およびホルダー筒口の上面開口１１１とつながり、ホルダー１００の上面から側面にかけて一体の開口を形成している。壁面開口１２２の位置、形状、大きさは限定されない。
なお、ホルダーボディ１２０の壁面とは、ホルダーボディの側面（右側面、左側面）だけに限定されず、正面、背面、底面も含む概念である。壁面開口１２２には、図１に示すようにホルダーボディの側面のみに設けられている場合や、ホルダーボディの正面、背面などに設けられている場合、側面から底面の一部まで設けられている場合や、側面から底面の全部まで設けられている場合など多様な形状が可能である。
後述するように、ホルダーに設けられた一体の開口である側面開口１１２および壁面開口１２２から液体容器２００を挿入し、ホルダー筒口１１０およびホルダーボディ１２０内に収納する。
【００２０】
支持体１３０は、液体容器筒体２１０の少なくとも一部の構造体を支持する形状となっている。なお、液体容器筒体２１０の形状と支持体１３０の形状の組み合わせは、支持体１３０が液体容器筒体２１０を支持できるものであれば良く、特に限定されない。支持方式としては、例えば、嵌合方式、フック方式、コンセント−プラグ方式、螺合方式など多様な方式が適用できる。実施例１では支持体１３０と液体容器筒体２１０の一部の構造体が嵌合し合う形状となっている。
【００２１】
次に、液体容器２００を説明する。図３は液体容器２００の６面図である。背面図は正面図と同じであるため図示は省略している。
図１及び図３に示すように、液体容器２００は液体容器筒体２１０と、内部に液体が収納されている液体容器本体２２０と、液体容器の閉塞構造体としての閉塞キャップ２３０を備えている。なお、液体容器２００が可撓性を持つ素材により構成された交換可能な使い捨てフィルムパックとして別売りすることができる。
液体容器筒体２１０は、内部に筒状の導通管が形成され、上面開口２１１を持ち、構造体２１２と構造体２１３と構造体２１４と構造体２１５と構造体２１６の５つの構造体を備えている。
液体容器筒体２１０は、例えばプラスチックなどの素材（例えば、ＰＥ：ポリエチレン、ＰＰ：ポリプロピレン、ＰＥＴ：ポリエチレンテレフタレートなど）で成型された構造体である。
液体容器本体２２０は、可撓性を持つフィルム素材などにより構成されており、液体容器筒体の下部構造である構造体２１６が液体容器本体２２０内に挿入された形で液体容器本体２２０の口がヒートシールや糊付けなどで構造体２１６に封止されている。液体容器本体２２０は液体容器筒体２１０内の導通管およびその上面開口２１１により外部と導通している。構造体２１５は構造体２１６の上部にあり、液体容器本体２２０の封止口の上部に接して封止部分の強化と保護を行なう。液体容器本体２２０の形状、大きさは特に限定されず、用途やホルダーボディ１２０の形状や大きさに応じたものであれば良い。図１の形状は一例である。液体容器本体内部に収納されている液体は特に限定されない。
図４（Ｂ）は液体容器筒体２１０の形状が理解しやすいように液体容器筒体２１０のみを簡単に示した図である。左下側が右側面図、左上側がその上面図、右側が各構造体２１１〜２１６の水平断面を模式的に上から並べて示した図である。
閉塞キャップ２３０は、液体容器筒体２１０の上面開口２１１を塞ぐ取り外し可能な閉塞構造体であり、この例では構造体２１２が外ネジであり、閉塞キャップ２３０の内側に設けられた内ネジと螺合することにより上面開口２１１を塞いでいる。この例では閉塞構造体は螺合式のキャップとしたが、上面開口２１１を封止したフィルムや、開閉蓋、ねじ込み蓋、嵌合蓋などでも良く、螺合するキャップには限定されない。例えば、上面開口２１１をヒートシールにより封止したフィルムであれば、手やはさみでフィルムの一部分を切り落として上面開口２１１を開けることができる。
以上が、実施例１の液体収納製品の各構成部品の簡単な説明である。
【００２２】
次に、実施例１の液体収納製品の各構成部品の組み立て作業、液体容器の交換作業を説明する。
まず、液体容器２００をホルダー１００に装着する。
図５は、液体容器２００をホルダー１００に装着する様子を模式的に示した図である。液体容器２００をホルダーの一体開口である側面開口１１２および壁面開口１２２から挿入し、液体容器筒体２１０を支持体１３０に取り付ける。
図６（Ａ）と図６（Ｂ）は、液体容器の液体容器筒体２１０とホルダーの支持体１３０とが嵌合し合い、液体容器筒体２１０が支持体１３０により支持される様子を模式的に示す図である。液体容器筒体２１０の構造体２１３を支持体１３０の上に沿わせ、構造体２１４を支持体１３０の切り欠き１３１の中に挿入し、構造体２１５を支持体１３０の下に沿わせつつ、液体容器筒体２１０を支持体１３０の中に押し込んで嵌合する。図６（Ａ）はこの嵌合動作を上から見た様子を模式的に示す図である。右側は嵌合の結果、支持体１３０が液体容器筒体２１０を支持する様子を示す上面図および側面図である。図６（Ｂ）は液体容器筒体２１０の構造のうち、構造体２１４部分の水平断面を取り出して描いたもので、支持体１３０の切り欠き１３１に構造体２１４が嵌合される様子を示す図である。
図６（Ａ）、図６（Ｂ）に示すように、液体容器筒体の構造体２１３と構造体２１５が支持体１３０を挟み込む形となり、液体容器筒体２１０と支持体１３０との組み合わせにおいて、両者が上下方向の移動を制限する構造を備えることとなり、液体容器筒体２１０が上下方向に固定される。また、構造体２１４が支持体１３０の切り欠き１３１と嵌合し合うことにより水平面内での回転動作が制動され、液体容器筒体２１０は支持体１３０に上下左右に遊ぶことなく固定、支持される。
液体容器２００のホルダー１００への装着の結果、ホルダーボディ１２０の中空のキャビティには、液体容器本体２２０が壁面開口１２２から挿入されて収められ、液体容器筒体２１０は、図６に示したように側面開口１１２と壁面開口１２２の一体開口から挿入されて支持体１３０と嵌合し合うことにより支持される。
液体容器２００をホルダー１００に装着した後、閉塞キャップ２３０を除去する。なお、閉塞キャップ２３０を除去する場合、液体容器筒体２１０の回転が上記のように制動されているので、閉塞キャップ２３０を回すことにより液体容器筒体２１０が空回りすることはない。
【００２３】
なお、液体容器２００をホルダー１００に装着した後で閉塞キャップ２３０を除去しやすいように液体容器の閉塞キャップの高さと形状を工夫した例を示す。
図７（Ａ）の液体容器の例は、図１に示した例よりも液体容器の閉塞キャップ２３０の高さが高くなり、上面に鍔を持った構造となっている。
図７（Ｂ）は液体容器２００をホルダー１００に装着した様子である。図７（Ｂ）に示すように、閉塞キャップ２３０が鍔部分を持っているので、利用者がキャップを掴みやすく、回転させやすくなっており、閉塞キャップ２３０を液体容器筒体２１０から簡単に除去することができる。
【００２４】
次に、ホルダー１００に液体噴霧ヘッド１０を取り付ける。
図８（Ａ）は、図５の状態からさらに液体噴霧ヘッド１０を取り付けた様子を示す図である。液体噴霧ヘッド１０の液体導入管１２を液体容器筒体２１０から液体容器本体２２０の内部に挿入しつつ、液体噴霧ヘッド１０のヘッドキャップ１５をホルダー筒口の構造体１１３（外ネジ）と螺合してホルダー１００と液体噴霧ヘッド１０をしっかり固定する。本来は周回である外ネジの一部が側面開口１１２で切断されているが、側面開口１１２の幅が小さい場合（例えば、円周の１／４以下）はヘッドキャップの螺合は問題なくしっかりと行なうことができる。
なお、液体噴霧ヘッド１０のヘッドキャップ１５をホルダー筒口１１０に取り付けた状態において、図８（Ｂ）のようにヘッドキャップ１５の内側上面が液体容器筒体の上面開口２１１としっかりと押圧、密着することが好ましい。しっかりと密着していれば、仮に液体収納製品全体を逆さまにしても内部の液体がヘッドキャップ１５の内部に漏れるおそれがない。
また、液体容器筒体２１０の構造体２１２の高さが低い場合、図８（Ｃ）のようにヘッドキャップ１５の内面のパッキンを盛り上げ、液体容器筒体の上面開口２１１を押圧、密着させる工夫をすることができる。図８（Ｄ）のように構造体２１２の周りに小壁面を設けて押圧、密着させる工夫をすることも可能である。
上記のようにヘッドキャップ１５により液体容器筒体の上面開口２１１をしっかりと押圧、密着する状態は、ヘッドキャップ１５により液体容器筒体２１０が下にしっかり押圧され、下から支えている支持体１３０と液体容器筒体の上部構造体２１３が上下方向に押し合う状態である。つまり、支持体１３０と液体容器筒体２１０間の摩擦力が増大する効果が得られ、液体容器筒体のスライド防止効果も得られる。
【００２５】
次に、液体噴霧ヘッド１０の液体導入管１２の工夫について述べる。本発明において液体排出ヘッドの液体導入管１２の形状は限定されないが、液体噴霧ヘッド１０に用いられる液体導入管１２に弾力性を持たせ、液体容器筒体２１０を通過する際には浅い角度でノズル側に曲がり（図９（Ａ）での点線状態）、図９（Ｂ）のように液体容器筒体２１０を通過すると深い角度でノズル側に曲がり、図９（Ｃ）のように液体噴霧ヘッド１０のヘッドキャップ１５をしっかり取り付けた最終状態において液体導入管１２の先端がノズル側に大きく曲がった状態となる。このように液体導入管１２を曲げた状態とすると、利用者の液体収納製品の使用状態において、液体収納製品がまっすぐに正立した状態、液体収納製品をノズル１１側に傾けた状態のいずれの場合でも先端部が液だまりの最深部に到達できる。
【００２６】
以上が、グリップ補強具の装着を除いた、実施例１の液体収納製品の基本構成例と、各構成部品の組み立て例である。
ヘッドキャップ１５をホルダー筒口１１０に取り付けた状態において、液体容器筒体２１０のうち支持体１３０の上に乗せられている構造体２１３が、ヘッドキャップ１５、ホルダー筒口１１０、支持体１３０に閉じ込められ、液体容器筒体が抜け出なくなるという閉じ込め効果が得られる。
【００２７】
次に、グリップ補強具を用いる工夫について説明する。
図１０はグリップ補強具の一例を示す６面図である。なお、背面図は正面図と同じであるので図示は省略している。グリップ補強具１４０は、例えば一様の肉厚で形成され、その内壁形状の少なくとも一部がホルダーボディの外壁形状の少なくとも一部に一致し、ホルダーボディ１２０に被せて装着できる形状となっている。この例では、その内壁形状がホルダーボディ１２０の装着個所となる部分の外壁形状と一致し、ホルダーボディ１２０に対して上からすっぽりと被せることができる筒状となっている。グリップ補強具の上面にはホルダー筒口１１０が通過できる大きさの上面開口１４１が設けられている。底面にはホルダーボディ１２０を受け入れるための底面開口１４２が設けられている。
グリップ補強具１４０は、利用者が握り締めても容易に変形しない十分な構造的強度を持つものとし、その素材は、プラスチック、ガラス、金属など特に限定されない。この例ではグリップ補強具１４０はホルダーの側壁に沿う筒状になっており、握り締めの力に対して構造的強度が強いものとなっている。
さらに、グリップ補強具には閉じ込め効果がある。この例ではグリップ補強具は筒状になっており、この中に挿入されている状態にあるものは、水平方向には抜け出得ないこととなる。
【００２８】
グリップ補強具を用いる場合の液体収納製品の組み立て例について説明する。
まず、液体容器２００をホルダー１００に装着する。その手順は上記の図５に示したものと同様であり、その説明は省略する。
次に、グリップ補強具１４０をホルダー１００に装着する。
図１１（Ａ）は、グリップ補強具１４０をホルダー１００に装着する様子を説明する図である。まず、図１１（Ａ）の左側に示すようにグリップ補強具１４０をその底面開口１４２からホルダー１００にすっぽり被せると、その内壁がホルダーボディ１２０の外壁に密着し、ホルダー筒口１１０のみが上面開口１４１から突出し、ホルダーボディ１２０の上側筐体に沿うように装着できる。
【００２９】
ここで、グリップ補強具１４０をホルダー１００に取り付けた状態においてグリップ補強具１４０の下縁部分の段差を無くす工夫および上下方向の構造的安定を増強する工夫を説明する。図１１（Ｂ）はホルダーボディ１２０においてグリップ補強具１４０を装着する個所にグリップ補強具１４０の厚さに相当する窪み１２３を設けておく工夫を施した例を模式的に示す図である。分かりやすいように断面の一部のみを模式的に示している。このようにグリップ補強具１４０に相当する窪み１２３をホルダーボディ１２０の周囲に設けておく。図１１（Ｂ）右側のようにグリップ補強具１４０をホルダーボディ１２０に装着した状態においてグリップ補強具１４０とホルダーボディ１２０の段差を無くしたものとすることができ、グリップ補強具１４０の取り付けにおいて上下方向の構造的安定を増強することができる。次に、図１１（Ｃ）はホルダーボディ１２０においてグリップ補強具１４０を装着した場合に下縁部分を受けるようにストッパー１２４を設けておく工夫を施した例を模式的に示す図である。分かりやすいように断面の一部のみを模式的に示している。このようにストッパー１２４をグリップ補強具１４０の下縁に沿うようにホルダーボディ１２０の周囲に設けておく。図１１（Ｃ）右側のようにグリップ補強具１４０をホルダーボディ１２０に装着した状態においてグリップ補強具１４０とホルダーボディ１２０の段差を無くしたものとすることができ、グリップ補強具１４０の取り付けにおいて上下方向の構造的安定を増強することができる。
【００３０】
次に、液体噴霧ヘッドをホルダー１００に装着する。
図１２に示すように、液体噴霧ヘッド１０の液体導入管１２を液体容器筒体の上面開口２１１から液体容器本体２２０内に挿入し、液体噴霧ヘッド１０のヘッドキャップ１５をホルダー筒口の構造体１１３に螺合して取り付ける。
【００３１】
ここで、ヘッドキャップ１５の肉厚とグリップ補強具１４０の肉厚が適度に厚く、ヘッドキャップ１５の下縁端がグリップ補強具１４０の上縁端（上面開口１４１の縁）に接して押さえつけるものであることが好ましい。ヘッドキャップ１５を締めることにより、グリップ補強具１４０は上からヘッドキャップ１５により押えられ、下からはホルダーボディ１２０の上側筐体から押えられ、しっかりと挟持され固定されるからである。なお、図１１（Ｂ）や図１１（Ｃ）に示す窪み１２３やストッパー１２４を設けておく構成ではグリップ補強具１４０がそれら構造物により下から支えられる力も加わることとなる。
その他の工夫として、グリップ補強具の表面に滑り止め加工を施せば、利用者が液体収納製品をより一層持ちやすくなる。また、グリップ補強具の表面に抗菌加工を施せば、利用者の手の触れる部分をより一層清潔に保つことができる。また、グリップ補強具は液体収納製品から簡単に取り外すことができるので、表面が汚れた場合や薬液が付着した場合などグリップ補強具のみを洗浄することができ、従来のように液体収納製品全体を洗浄する必要がなくなる。また、グリップ補強具のみを新しいものに適宜交換することもできる。
【００３２】
図１３は、グリップ補強具１４０を取り付けた場合の液体収納製品の６面図である。例えば、この状態で液体収納製品として市販される。また、液体容器のみを交換用パックの液体収納製品として別売りすることができる。
本実施例１の液体収納製品は、液体の詰め替えは簡単に行なうことができ、また、グリップ補強具１４０は一体形状をしており、利用者の握りに対して強く、液体収納製品全体の構造的強度を高める効果がある。また、グリップ補強具１４０内に挿入された形となる液体容器筒体および液体容器本体は水平方向には抜け出得ないので閉じ込め効果が得られる。液体容器筒体はヘッドキャップ、ホルダー、支持体、グリップ補強具の４者により水平方向および垂直方向いずれの方向にも閉じ込められ、液体容器がホルダーから抜け出ることがなくなる。また、ヘッドキャップの下縁によりグリップ補強具の上縁を押えることによりグリップ補強具がホルダー上に押圧されて固定され、各構成要素がしっかり締め合っている。
液体排出ヘッドのトリガーを引くことにより、液体容器２００内の液体を噴霧させることができる。利用者が液体容器２００内の液体を使い切ると、上記の組み立て手順と逆の手順で各構成部品を分解し、使い切った液体容器２００を取り出し、交換用の新しい液体容器２００を用いて上記組み立て手順で組み立てる。
【実施例２】
【００３３】
実施例２は、実施例１の液体収納製品の変形例である。実施例１の液体収納製品では支持体１３０がホルダー筒口１１０内に設けられていたが、実施例２の液体収納製品は、図１４に示すように、支持体１３０ａがホルダーボディ１２０ａ内に設けられているものである。支持体１３０ａの取り付け位置が低くなっている分、液体容器筒体の構造体２１２ａの高さが高くなっている。その他の部分の構成は実施例１と同様で良い。
【実施例３】
【００３４】
実施例３は、実施例１の液体収納製品の変形例である。実施例１の液体収納製品ではホルダー１１０の側面開口１１２が上面開口１１１まで一体に設けられていたが、図１５に示すように、実施例３の液体収納製品では側面開口１１２ｂが上面開口１１１までには至っていない。側面開口１１２ｂの高さが低くなった分、液体容器筒体の構造体２１２ｂの高さが低くなっている。支持体１３０ｂに取り付ける際、液体容器筒体の構造体２１２ｂが側面開口１１２ｂをくぐり抜けるように通過して支持体に嵌合される。その他の部分の構成は実施例１と同様で良い。
【実施例４】
【００３５】
実施例４は、実施例１の液体収納製品の変形例である。実施例１の液体収納製品は液体容器筒体と支持体の取り付けが水平嵌合式であったが、実施例４の液体収納製品は液体容器筒体と支持体の取り付けが垂直嵌合式である。
図１６は実施例４の支持体１３０ｃと液体容器筒体２１０ｃのみを取り出して両者の関係を説明する図である。図１６（Ａ）に示すように支持体１３０ｃは窪みを持っている。窪みの断面は構造体２１３ｃに相当するものとなっている。図１６（Ｂ）に示すように液体容器筒体２１０ｃの構造体２１４ｃは支持体１３０ｃの高さに相当する高さを持っている。図１６（Ｃ）は液体容器筒体２１０ｃが支持体１３０ｃに嵌合する様子を上面から見た図を示している。まず、水平方向に液体容器筒体２１０ｃを支持体１３０ｃに押し込み（左側の図）、次に、液体容器筒体２１０ｃを下側に押し込み、支持体１３０ｃの窪みに構造体２１３ｃを沈めて行く（中央の図から右側の図）。このように両者が垂直に嵌合し合う。その他の部分の構成は実施例１と同様で良い。
【実施例５】
【００３６】
実施例５は、実施例１の液体収納製品の変形例である。実施例１の液体収納製品は、液体容器筒体と支持体の取り付けが嵌合式であったが、実施例５の液体収納製品は液体容器筒体と支持体の取り付けがフック方式で取り付ける例である。
図１７は実施例５の支持体１３０ｄと液体容器筒体２１０ｄのみを取り出して両者の関係を説明する図である。図１７（Ａ）は上側がホルダー筒口１１０ｄおよび支持体１３０ｄを上から見た図、下側がその横断面を示す図である。図１７（Ａ）に示すように支持体１３０ｄはフックを受け入れる孔を形成する受容体となっており、ホルダー筒口１１０ｄの内部に設けられている。図１７（Ｂ）は上側が液体容器筒体２１０ｄを上から見た図、下側が液体容器筒体２１０ｄを横側から見た図である。構造体２１３ｄがフックを持っており、当該フックが支持体１３０ｄが形成する孔に対応する形状となっている。図１７（Ｃ）が構造体２１３ｄのフックを上側から支持体１３０ｄに対して引っ掛けた様子を示す図である。その他の部分の構成は実施例１と同様で良い。
【実施例６】
【００３７】
実施例６は、実施例１の液体収納製品の変形例である。実施例１の液体収納製品は、液体容器筒体と支持体の取り付けが嵌合式であったが、実施例６の液体収納製品は液体容器筒体と支持体の取り付けがプラグコンセント方式で取り付ける例である。
図１８はプラグコンセント方式を模式的に説明する図である。図１８（Ａ）に示すように、ホルダー筒口１１０ｅの内部にコンセントとなる支持体１３０ｅが設けられている。液体容器筒体２１０ｅにはプラグとなる構造体２１３ｅが設けられている。ここで、支持体１３０ｅは上側に回転するが、下側にはストッパー（図示せず）により回転しない構造となっている。構造体２１３は鍔となっている。図１８（Ｂ）はコンセントである支持体１３０ｅにプラグである構造体２１３ｅが取り付けられる様子を説明する図である。液体容器をホルダーの壁面開口１２２から挿入後、１８（Ｂ）の下側の図に示すように、液体容器筒体２１０ｅを下側からコンセントとなる支持体１３０ｅに押し入れる。図１８（Ｂ）の中央の図に示すように、支持体１３０ｅは上側に回転してプラグとなる構造体２１３ｅを受け入れる。構造体２１３ｅが通過すると支持体１３０ｅが元に戻る。構造体２１３ｅの鍔が支持体１３０ｅに引っ掛かることにより係止されて支持される。その他の部分の構成は実施例１と同様で良い。
【実施例７】
【００３８】
実施例７は、本発明の第２の液体収納製品の構成例である。本発明の第２の液体収納製品は、ヘッドキャップが液体容器側に取り付けられるものである。
ここでは、液体容器筒体に取り付けるヘッドキャップが、液体噴霧ヘッドに組み込まれたヘッドキャップであり、液体噴霧ヘッドが取り付けられた液体収納製品の例を示す。
【００３９】
図１９は、本発明の実施例７の液体収納製品を分解してその構成部品を模式的に示した図（右側面図）である。本発明の実施例７の液体収納製品も、液体排出ヘッド１０ｈ、ホルダー１００ｈ、液体容器２００ｈの３つの構成部品を備えている。さらに、グリップ補強具１４０ｈを備えている。グリップ補強具１４０ｈは図１０に示したものと同様で良く、図１９にはグリップ補強具１４０ｈの図示を省略している。
液体排出ヘッド１０ｈは、実施例１の液体排出ヘッド１０と同様で良い。
ホルダー１００ｈは、図１に示した実施例１のホルダー１００に比べ、ホルダー筒口１１０ｈと支持体１３０ｈが異なっている。ホルダー筒口１１０ｈは、上面開口１１１ｈ、外周壁に設けられた側面開口１１２ｈ、ホルダー筒口の外周壁の構造体１１３ｈを備えている。ホルダー筒口１１０ｈの内面には支持体１３０ｈが設けられている。他の構造は実施例１と同様で良い。
【００４０】
液体容器２００ｈは、液体容器筒体２１０ｈと液体容器本体２２０ｈと閉塞キャップ２３０ｈを備えている。内部に充填されている液体は特に限定されない。
液体容器筒体２１０ｈは、上面開口２１１ｈを持ち、構造体２１２ｈ、構造体２１４ｈ、構造体２１５ｈ、構造体２１６ｈの４つの構造体を備え、内部に筒状の導通孔が設けられている。なお、後述するように構造体２１２ｈと構造体２１４ｈの間に構造体２１３ｈを設ける構成としても良い。
構造体２１２ｈは上部の構造体であり、後述するように支持体１３０ｈの上に乗せられる構造体である。図１に示した実施例１の液体容器筒体の構造体２１２ｈに比べ、その径が大きく、その周囲にはヘッドキャップ１５ｈの内ネジと螺合する外ネジが設けられている。なお、閉塞キャップ２３０ｈはヘッドキャップ１５ｈと同じ大きさの内ネジを備えており、液体容器筒体２１０ｈに対して、ヘッドキャップ１５ｈと閉塞キャップ２３０ｈのいずれでも取り付けることができる。
図１９の液体容器筒体には構造体２１３ｈに相当するものを設けていないが、構造体２１２ｈの下側部分に構造体２１３ｈを設けても良い。例えば、構造体２１２ｈと同じ径を持つ構造体で構造体２１２ｈに設けられている外ネジが設けられていないものとする。
構造体２１４ｈはその幅がホルダー筒口の側面開口１１２ｈと支持体の切り欠き１３１ｈを通過できる幅であり、その高さは、構造体２１２ｈが支持体１３０ｈの上に沿い、構造体２１５が支持体１３０ｈの下に沿う形で支持体１３０ｈに挿入できる高さとなっている。構造体２１４ｈの外周形状は限定されないが、この例では支持体１３０ｈの切り欠き形状と合致する四角形とする。構造体２１４ｈの外周形状が支持体１３０ｈの切り欠き形状と合致する四角形であれば液体容器筒体２１０ｈの水平面内での回転が制動されることとなる。後述するように、液体容器２００ｈをホルダー１００ｈに取り付けた後に閉塞キャップ２３０ｈを取り外す際に閉塞キャップ２３０ｈを回しても液体容器筒体２１０ｈが固定されているので閉塞キャップ２３０ｈが外しやすくなる。
構造体２１５ｈと構造体２１６ｈは図１に示した実施例１の液体容器筒体のものと同様で良い。液体容器本体２２０ｈは可撓性を持つフィルム素材などにより構成され液体容器２００ｈ全体が交換可能な使い捨てパックとなっている点も実施例１と同様である。
【００４１】
図２０は、ホルダー１００ｈの６面図の例を示したものである。
図２１は、液体容器２００ｈの６面図を示したものである。なお、背面図は正面図と同じであるので図示を省略する。
【００４２】
図２２（Ａ）は、ホルダー筒口１１０ｈおよび支持体１３０ｈを説明するために取り出して示した図である。なお、ホルダー筒口１１０ｈおよび支持体１３０ｈの形状は一例である。支持体１３０ｈはホルダー筒口１１０ｈの内部に設けられており、ホルダー筒口１１０ｈの外周壁を構成する構造体１１３ｈが周囲を囲み、前方に側面開口１１２ｈが設けられている。この側面開口の幅は、後述する液体容器筒体の構造体２１４ｈが通過できる幅である。
支持体１３０ｈは切り欠き１３１ｈが設けられた円柱体となっている。この例ではホルダー筒口１１０ｈと支持体１３０ｈが一体成型されているので、切り欠きを持つ一体の円柱体に見える。
図２２（Ｂ）は、液体容器筒体２１０ｈを支持体１３０ｈに取り付けて支持させる様子を上面から模式的に示す図である。分かりやすくするため閉塞キャップ２３０ｈは取り除いた状態で描いている。液体容器筒体２１０ｈをホルダー筒口１１０ｈに対して横からスライドして押し込む。構造体２１２ｈが支持体１３０ｈの上に沿い、構造体２１４ｈがホルダー筒口の側面開口１１２ｈから支持体の切り欠き１３１ｈの中に挿入され、構造体２１５ｈが支持体１３０ｈの下に沿い、液体容器筒体２１０ｈとホルダー筒口１１０ｈが嵌合し合う。嵌合された様子が図２２（Ｃ）である。なお、図２２（Ｃ）の上側の図が嵌合された様子を上から見た図、下側の図が嵌合された様子を側面から見た図である。ここで、液体容器筒体２１０ｈと支持体１３０ｈとの組み合わせにおいて、両者が上下方向の移動を制限する構造を備えている。つまり、構造体２１２ｈと構造体２１５ｈの間に支持体１３０ｈが挟まれているので、両者は上下方向の移動が制限されている。
図２２（Ｄ）は液体容器筒体２１０ｈが構造体２１３ｈを備えている場合の例である。
図２２（Ｅ）は支持体１３０ｈの上面を凹型形状とし、液体容器筒体の構造体２１２ｈまたは構造体２１３ｈの下面を凸型形状とした場合の例である。図２２（Ｅ）の例では支持体１３０ｈの上面は外縁１３０１ｈと窪み１３０２ｈを備えた凹型形状を備え、構造体２１２ｈは上側部分２１２１ｈと下側部分２１２２ｈを備えた例である。支持体の窪み１３０２ｈと構造体の下側部分２１２２ｈの両者は嵌合し合う。この両者の嵌合により、液体容器筒体２１０ｈは上下方向の移動の制限に加え、水平方向（横方向）の移動も制限される。なお、構造体２１２２ｈを構造体２１３ｈと考えることもできる。
【００４３】
図２３は、本発明の液体収納製品において、液体容器２００ｈを装着する作業手順を模式的に示した図である。
図２３の左側の図に示すように、液体容器２００ｈをホルダー１００ｈに対してホルダーボディの壁面開口１２２ｈおよびホルダー筒口の側面開口１１２ｈから挿入する。液体容器２００ｈがホルダー１００ｈ内に装着された様子を示す図が図２３の中央の図である。ホルダーボディ１２０ｈの中空のキャビティには、液体容器本体２２０ｈが収められ、支持体１３０ｈには液体容器筒体２１０ｈが支持されている。
図２３の右側の図に示すように、閉塞キャップ２３０ｈを取り除く。
【００４４】
図２４は、液体容器２００ｈを装着したホルダー１００ｈに対してグリップ補強具１４０ｈを上から被せて装着し、さらに液体噴霧ヘッド１０ｈを装着する手順を示す図である。
図２４の左側の図は、図２３に示したように液体容器２００ｈを装着したホルダー１００ｈである。
図２４の中央の図は、図１１に示したものと同様に、左側に示した状態からグリップ補強具１４０ｈを上から被せて装着した様子を示す図である。
【００４５】
ここで、グリップ補強具１４０ｈの高さを工夫し、グリップ補強具１４０ｈをホルダー１００ｈに被せて装着した状態において、グリップ補強具１４０ｈの上縁が支持体１３０ｈより上に位置し、当該部分の内周が液体容器筒体の構造体２１３ｈの外周と沿う形で嵌合し合うものとすることができる。図２５（Ａ）は、グリップ補強具１４０ｈの高さを工夫した場合における、グリップ補強具１４０ｈをホルダー１００ｈに被せて装着した状態を模式的に示す側面図である。図２５（Ｂ）はグリップ補強具１４０ｈを側断面のみで示し、内部のホルダー１２０ｈ、支持体１３０ｈ、液体容器筒体２１０ｈの関係を分かりやすいように示している。この例では液体容器筒体が構造体２１３ｈを備え、図２５（Ｂ）に示すように、グリップ補強具１４０ｈの上縁部分が支持体１３０ｈより上に位置し、支持体１３０ｈの上に乗っている液体容器筒体の構造体２１３ｈを取り囲んで嵌合し合っている。この状態では液体容器筒体２１０ｈは水平方向の遊びがなくグリップ補強具１４０ｈと嵌合し合っているため、水平方向の移動が制限されることとなる。
図２４の右側の図は、図１２に示したものと同様に、中央の図に示した状態から液体噴霧ヘッド１０ｈを装着した様子を示す図である。液体噴霧ヘッド１０ｈの液体導入管１２ｈを液体容器筒体の上面開口２１１ｈから挿入し、液体容器筒体２１０ｈから液体容器本体２２０ｈの内部に挿入しつつ、液体噴霧ヘッド１０ｈのヘッドキャップ１５ｈを液体容器筒体の構造体２１２ｈと螺合して液体容器２００ｈおよびホルダー１００ｈの両者と液体噴霧ヘッド１０ｈをしっかり固定する。
【００４６】
組み立てた液体収納製品の６面図は実施例１の図１３と同様である。
なお、図２５（Ｃ）は図２５（Ａ）の状態からヘッドキャップ１５ｈを取り付けた状態であり、内部の様子が分かりやすいようにヘッドキャップ１５ｈは側断面で示している。
【００４７】
ここで、液体容器筒体の構造体２１２ｈとヘッドキャップ１５ｈを螺合してゆくと、液体噴霧ヘッド１０ｈと液体容器２００ｈとホルダー１００ｈと支持体１３０ｈが締め付けあって固定され、スライド防止効果が得られることとなる。その原理を説明する。
第１のケースは、図２６（Ａ）に示すように、ヘッドキャップ１５ｈの下縁端の大きさよりもホルダーの支持体１３０ｈの大きさが大きく、また、ヘッドキャップ１５ｈの高さは液体容器筒体の構造体２１２ｈより高く、ヘッドキャップ１５ｈを液体容器筒体の構造体２１２ｈに螺合して行くとヘッドキャップ１５ｈの下縁端が支持体１３０ｈに接する場合である。
ヘッドキャップ１５ｈと液体容器筒体の構造体２１２ｈを螺合して行くと、ヘッドキャップ１５ｈの下縁が支持体１３０ｈまで到ると下方向への移動が制限されるため、逆に螺合相手の構造体２１２ｈが上方に引き上げられ、液体容器筒体２１０ｈ全体が徐々に上方に引き上げられる。しかし、ホルダー筒口１１０ｈ内の支持体１３０ｈが存在するため、液体容器筒体の構造体２１５ｈが支持体１３０ｈにより上への移動が制限される。つまり、ヘッドキャップ１５ｈの下縁が支持体１３０ｈの上縁を押え付けている状態では、力学的にはヘッドキャップ１５ｈの下縁が上向きに受ける力と同じ強さの下向きの力が液体容器筒体２１０ｈに対して支持体１３０ｈから加えられている状態であり、液体容器筒体２１０ｈと支持体１３０ｈが上下方向に締め合うこととなる。そのため、液体容器筒体２１０ｈと支持体１３０ｈの間の摩擦力が増大し、液体容器２００ｈのスライド移動が防止されるとともに、ヘッドキャップ１５ｈ、液体容器筒体２１０ｈ、支持体１３０ｈ、ホルダー１００ｈの４者がしっかりと固定されることとなる。
【００４８】
第２のケースは、図２６（Ｂ）に示すように、ヘッドキャップ１５ｈの下縁端の大きさは、支持体１３０ｈの大きさより大きいが、その周囲を囲んでいるホルダー筒口の上縁の構造体１１３ｈの大きさより小さく、ヘッドキャップ１５ｈの高さは液体容器筒体の構造体２１２ｈより高く、ヘッドキャップ１５ｈを液体容器筒体の構造体２１２ｈに螺合して行くとヘッドキャップ１５ｈの下縁端がホルダー筒口の上縁の構造体１１３ｈに接する場合である。
この第２のケースにおいても、ヘッドキャップ１５ｈと液体容器筒体の構造体２１２ｈを螺合により、液体容器筒体２１０ｈと支持体１３０ｈがしっかりと締め付け合う原理は、ヘッドキャップ１５ｈがホルダー筒口の構造体１１３ｈの存在により下方向への移動が制限される点を除いて第１のケースと同様である。この結果、ヘッドキャップ１５ｈと液体容器２００ｈとホルダー１００ｈと支持体１３０ｈの４者がしっかりと締め付け合って固定される。
【００４９】
第３のケースは、図２６（Ｃ）に示すように、ヘッドキャップ１５ｈの下縁端の大きさが、支持体１３０ｈおよびホルダー筒体の構造体１１３ｈの大きさより大きく、ホルダーボディ１２０ｈの肩口である上縁端の大きさより小さく、ヘッドキャップの高さが、液体容器筒体の構造体２１２ｈの高さとホルダー筒口１１０ｈの高さの合計より高く、ヘッドキャップ１５ｈを液体容器筒体の構造体２１２ｈに螺合して行くとヘッドキャップ１５ｈの下縁端がホルダーボディ１２０ｈの上縁端に接する場合である。
この第３のケースにおいて、ヘッドキャップ１５ｈと液体容器筒体の構造体２１２ｈを螺合により液体容器筒体２１０ｈと支持体１３０ｈがしっかりと締め付け合う原理は、ヘッドキャップ１５ｈがホルダーボディ１２０ｈの存在により下方向への移動が制限される点を除いて第１のケースと同様である。この結果、ヘッドキャップ１５ｈと液体容器２００ｈとホルダー１００ｈと支持体１３０ｈの４者がしっかりと締め付け合って固定される。
【００５０】
第４のケースは、グリップ補強具１４０ｈをホルダー１００ｈに装着する場合であり、図２６（Ｄ）に示すように、ヘッドキャップ１５ｈおよびグリップ補強具１４０ｈ両者の肉厚が適度に厚く、両者の大きさがほぼ等しく、ヘッドキャップ１５ｈを液体容器筒体の構造体２１２ｈに螺合して行くとヘッドキャップ１５ｈの下縁端とグリップ補強具１４０ｈの上縁端が接する場合である。
この第４のケースにおいて、ヘッドキャップ１５ｈと液体容器筒体の構造体２１２ｈを螺合により液体容器筒体２１０ｈと支持体１３０ｈがしっかりと締め付け合う原理は、ヘッドキャップ１５ｈがホルダー１００ｈに装着されたグリップ補強具１４０ｈの存在により下方向への移動が制限される点を除いて第１のケースと同様である。この結果、ヘッドキャップ１５ｈと液体容器２００ｈとホルダー１００ｈと支持体１３０ｈとグリップ補強具１４０ｈの５者がしっかりと締め付け合って固定される。
【００５１】
以上の原理により、本発明の第２の液体収納製品では、各部品が相互にしっかりと締め付け合って固定されているため、液体容器２００ｈが支持体１３０ｈからスライドして抜け落ちるという恐れはない。
液体容器筒体２１０ｈは、上下方向の移動は支持体１３０ｈおよびヘッドキャップ１５ｈにより制限され、水平方向の移動はホルダー１００ｈおよびグリップ補強具１４０ｈの存在と、支持体１３０ｈとの摩擦力により制限され、閉じ込め効果が得られる。
【実施例８】
【００５２】
実施例８は、本発明の第１から第４の液体収納製品のバリエーションとして、ホルダーボディに設けられている壁面開口を大きくした構成例である。ここでは、一例として第１の液体収納製品について適用した例を示す。
図２７は、本発明の実施例８の液体収納製品を分解してその構成部品を模式的に示した図（右側面図）である。本発明の実施例８の液体収納製品も、液体排出ヘッド１０ｊ、ホルダー１００ｊ、液体容器２００ｊの３つの構成部品を備え、さらに、グリップ補強具１４０ｊを備えている。図２７にはグリップ補強具１４０ｊの図示を省略している。
液体排出ヘッド１０ｊは、実施例１の液体排出ヘッド１０と同様で良い。
ホルダー１００ｊは、実施例１のホルダー１００と比べ、ホルダーボディの壁面開口１２２ｊの大きさが異なっている。
図２８は、ホルダー１００ｊの６面図である。ホルダーボディの右側面に大きく壁面開口１２２ｊが設けられている。
液体容器２００ｊは、実施例１の液体容器２００と同様で良い。
図２９は、実施例８のグリップ補強具１４０ｊの６面図である。ホルダーボディの壁面開口１２２ｊを覆うようにグリップ補強具の右側面が大きくなっている。
本発明の液体収納製品を組み立てる作業手順は実施例１などと同様で良い。
図３０は、組み上げた実施例８の液体収納製品の６面図である。
【実施例９】
【００５３】
実施例１１は、本発明の第１から第４の液体収納製品のバリエーションとして、液体排出ヘッドを液体ポンプヘッドとし、液体収納製品を液体ポンプ容器とした例である。ここでは、一例として第３の液体収納製品について適用した例を示す。
図３１は、本発明の実施例９の液体収納製品を分解してその構成部品を模式的に示した図（右側面図）である。本発明の実施例９の液体収納製品も、液体排出ヘッド１０ｋ、ホルダー１００ｋ、液体容器２００ｋの３つの構成部品を備えている。この実施例９はカバー１５０ｋを装着する工夫を施す例として説明する。なお、図３１にはカバー１５０ｋの図示を省略している。
液体排出ヘッド１０ｋは液体ポンプヘッドとなっている。本発明では、液体ポンプヘッド１０ｋの構造は特に限定されず、公知の液体ポンプヘッドであっても適用可能である。図３１に示した例では、液体ポンプヘッド１０ｋは、ノズル３１ｋと、ノズル３１ｋに連通する液体導入管１２ｋと、液体導入管１２ｋから液体を汲み上げてノズル３１ｋから汲み出すポンプ機構３３ｋと、ポンプ押下部３４ｋと、ヘッドキャップ１５ｋとを備えている。
【００５４】
図３２は、実施例１１のホルダー１００ｋの６面図である。
ホルダー１００ｋは液体ポンプヘッド１０ｋの液体導入管１２ｋの太さに応じて、ホルダー筒口１１０ｋの側面開口１１２ｋ、支持体１３０ｋの切り欠き１３１ｋの幅が太くなっている。ホルダーボディ１２０ｋの形状や大きさは特に限定されず、用途に合わせたもので良い。また、壁面開口１２２ｋの形状や大きさも特に限定されず、液体容器２００ｋが挿入できる大きさとすれば良い。
図３３は、実施例９の液体容器２００ｋの６面図である。なお、背面図は正面図と同じであり、左側面図は右側面図と同じであるので図示を省略している。
液体容器２００ｋは液体ポンプヘッド１０ｋの液体導入管１２ｋの太さに応じて液体容器筒体２１０ｋの太さ（内壁の管の太さも含む）が太くなっている。液体容器筒体２１０ｋの閉塞構造体としてのキャップ１５ｋも合わせて太くなっている。液体容器本体２２０ｋの形状や大きさは特に限定されず、用途に合わせたもので良い。液体容器２００ｋ内部に充填されている液体は特に限定されない。
【００５５】
図３４は、実施例１１のカバー１５０ｋの一例を示す６面図である。なお、背面図は正面図と同じであり、左側面図は右側面図と同じであるので図示を省略している。カバー１５０ｋは、壁面開口を閉じるのみの単なる蓋ではなく、壁面開口全面を覆いつつ、ホルダーを周回するようにホルダーに被せて装着する例えば筒状のものであるので、液体収納製品に水平方向にかかる力に対して強く抗することができ、構造的強度を補強するものとなる。
なお、実施例１の図１１で説明したグリップ補強具１４０の場合と同様、ホルダーボディ１２０ｋの壁面にカバー１５０ｋを装着する個所にカバー１５０ｋの厚さに相当する窪み１２３を設けておく工夫、カバー１５０ｋの下縁を受けるストッパー１２４を設ける工夫をすることができる。
【００５６】
図３５は、本発明の実施例９の液体収納製品を組み立てる作業手順を模式的に示した図である。組み立ての原理は実施例１の図１１から図１２と同様である。
ここで、実施例１に説明したように、ヘッドキャップ１５ｋの下縁端がカバー１５０ｋの上縁端（上面開口１５１ｋの縁）に接して押え付けるものであることが好ましい。ヘッドキャップ１５ｋを締めることにより、カバー１５０ｋは上からヘッドキャップ１５ｋにより押えられ、下からはホルダーボディ１２０ｋの上側筐体から押えられ、カバー１５０ｋがしっかりと挟持され締め付け効果が得られるからである。
【００５７】
実施例９の構成でも、密閉性の向上効果の他、グリップ補強具を装着した場合と同様、外界から水平方向にかかる力に対する構造的強度の向上効果、液体容器の閉じ込め効果、各構成要素の締め付け効果が得られる。
図３６は、組み立てられた液体収納製品の６面図である。例えば、この状態で液体収納製品として市販される。また、液体容器のみを交換用パックの液体収納製品として別売りすることができる。
【実施例１０】
【００５８】
実施例１２は、本発明の第１から第４の液体収納製品のバリエーションとして、液体排出ヘッドを液体ポンプヘッドとし、液体収納製品を液体ポンプ容器とした例である。ここでは、一例として第４の液体収納製品について適用した例を示す。
図３７は、本発明の実施例１０の液体収納製品を分解してその構成部品を模式的に示した図（右側面図）である。
図３８は、実施例１０のホルダー１００Ｌの６面図の例を示したものである。
図３９は、実施例１０の液体容器２００Ｌの６面図である。背面図は正面図と同じであり、左側面図は右側面図と同じであるため図示を省略している。
カバー１５０Ｌは、図３４に示した実施例９のカバー１５０ｋと同様のもので良い。
図４０は、本発明の実施例１０の液体収納製品を組み立てる作業手順を模式的に示した図である。組み立ての原理は実施例７の図２２から図２４と同様で良い。
組み立てた液体収納製品の６面図は実施例９の図３６と同様である。例えば、この状態で液体収納製品として市販される。また、液体容器のみを交換用パックの液体収納製品として別売りすることができる。
【実施例１１】
【００５９】
実施例１１は、本発明の第１から第４の液体収納製品のバリエーションとして、液体排出ヘッドとして上面に開口を持つ液体排出ヘッドを用いた例である。ここでは、一例として第２の液体収納製品について適用した例を示す。
図４１は、本発明の実施例１１の液体収納製品を分解してその構成部品を模式的に示した図（右側面図）である。なお、グリップ補強具１４０Ｍはカバー１５０Ｍとしての役割も兼務している。なお、図４１にはグリップ補強具１４０Ｍの図示を省略している。
【００６０】
図４２は、液体排出ヘッド１０Ｍの６面図である。背面図と左側面図と右側面図は正面図と同じなので省略している。
液体排出ヘッド１０Ｍは、ヘッドキャップ１５Ｍの上部に構造体１６Ｍを持っている。液体排出ヘッド１０Ｍは内部に貫通孔を持ち、構造体１６Ｍの上面の開口が上面開口１７Ｍである。
図４３は、ホルダー１００Ｍの６面図である。
ホルダー１００Ｍのホルダー筒口１１０Ｍと支持体１３０Ｍは、実施例７のホルダー１００ｈのホルダー筒口１１０ｈと支持体１３０ｈと同様のもので良い。図４３の例では、実施例７の例と比べて、ホルダーボディ１２０Ｍおよび壁面開口１２２Ｍの形状が異なるものの、液体容器２００Ｍのホルダー１００Ｍへの装着の原理は同じである。
【００６１】
図４４は、実施例１１の液体容器２００Ｍの６面図である。なお、背面図は正面図と同じであり、左側面図は右側面図と同じであるため図示を省略している。
液体容器２００Ｍは、液体容器筒体２１０Ｍと液体容器本体２２０Ｍと閉塞キャップ２３０Ｍを備えている。液体容器２００Ｍに充填されている液体は特に限定されない。
液体容器本体２２０Ｍは形状が異なるものの実施例１の液体容器本体２２０と同様で良い。
液体容器筒体２１０Ｍは、構造体のうち、構造体２１２Ｍ、構造体２１４Ｍ、構造体２１５Ｍ、構造体２１６Ｍは、実施例７の液体容器筒体２１０ｈのものと同様で良いが、上面開口２１１Ｍの形状が異なり、さらに当該上面開口２１１Ｍを閉塞するいわゆるプルトップキャップ２３１Ｍを備え、上面開口２１１Ｍを直接閉塞している点で異なる。
【００６２】
図４５は、グリップ補強具１４０Ｍの一例を示す６面図である。なお、背面図、左側面図、右側面図は正面図と同じであるため図示を省略している。
図４６は、実施例１１の液体収納製品を組み立てる作業手順を模式的に示した図である。組み立ての原理は実施例７の図２２から図２４、実施例１０の図４０と同様で良い。
まず、図４６の左側の図に示すように、液体容器本体２２０Ｍを壁面開口１２２Ｍから挿入し、実施例７と同様の手順により液体容器筒体２１０Ｍを支持体１３０Ｍに支持させて、液体容器２００Ｍをホルダー１００Ｍに装着する。
次に、図４６の中央の図に示すように、液体容器筒体２１０Ｍの上面開口を閉塞しているプルトップキャップ２３１Ｍを取り去り、上面開口２１１Ｍを開ける。なお、実施例７の図２５のようにグリップ補強具１４０Ｍの高さを工夫すれば、グリップ補強具１４０Ｍにより液体容器筒体２１０Ｍの水平方向の移動が制限される。
次に、図４６の右側の図に示すように、液体容器筒体の構造体２１２Ｍに対して、液体排出ヘッド１０Ｍを螺合して取り付ける。液体容器筒体に対する閉じ込め効果が得られ、さらに、本実施例１３の液体収納製品においても、ヘッドキャップ１５Ｍの下縁がグリップ補強具１４０Ｍの上縁を押え付ける状態とすれば、実施例９において説明した場合と同様の原理により、液体容器筒体２１０Ｍと支持体１３０Ｍの間の締め付け効果、摩擦力増大によるスライド防止効果が得られる。
液体排出ヘッド１０Ｍは上面開口１７Ｍを持っており、図４７に示すように、液体収納製品全体を傾けることにより、液体容器本体２２０Ｍ内の液体を液体容器筒体２１０Ｍ、上面開口２１１Ｍ、液体排出ヘッド１０Ｍの上面開口１７Ｍを介して外部に流出させることができる。
【００６３】
なお、液体容器筒体２１０Ｍから液体をスムーズに流出させるために、液体容器筒体２１０Ｍをある程度太くする工夫を施すことも好ましい。また、図４８に示すように、液体容器本体２２０Ｍにおいて液体容器筒体２１０Ｍを封止するためのヒートシールや糊付けをする領域を領域２２１Ｍの範囲で行なう工夫を施すことも好ましい。このような領域２２１Ｍの範囲でヒートシールや糊付けを行なうことにより、液体収納製品全体を傾けることにより液体容器本体２２０Ｍ内の液体が、図中の矢印のように流れて液体容器筒体２１０Ｍの底面開口に集まり、液体容器本体２２０Ｍ内に残留することなく最後まで流出させることができるからである。
【実施例１２】
【００６４】
実施例１２は、本発明の第１から第４の液体収納製品のバリエーションとして、液体排出ヘッドとして上面に開口を持ち、当該上面開口を塞ぐ蓋を備えた蓋付きの液体排出ヘッドを用いた例である。ここでは、一例として第２の液体収納製品について適用した例を示す。
実施例１２の液体収納製品は、実施例１１に示した構成において、液体排出ヘッド１０Ｍの代わりに、この液体排出ヘッド１０Ｎを用いたものとする。
図４９は、実施例１２の液体排出ヘッド１０Ｎの６面図と、蓋を開いた様子を示す参考図である。なお、背面図、右側面図、左側面図は正面図と同じであり図示を省略している。
蓋付ヘッドキャップである液体排出ヘッド１０Ｎは、ヘッドキャップ１５Ｎと、液切り構造体２２Ｎと、蓋２３Ｎと、上面開口１７Ｎを備えている。この蓋付ヘッドキャップである液体排出ヘッド１０Ｎは例えば、食用油ボトルのヘッドキャップ、醤油ボトルのヘッドキャップなどとして広く用いられている。
図５０は、実施例１２の液体収納製品を組み立てる作業手順を模式的に示した図である。組み立て手順は実施例１１と同様で良い。
図５１は液体を注ぎ出す様子を示す図である。
上記構成例において、交換用パックの液体容器に詰める液体も特に限定されず、醤油、ソース、天ぷら油、液体調味料、水、飲料、各種の薬剤、洗剤、化学剤など多様なものがある。
【実施例１３】
【００６５】
実施例１３は、本発明の第１から第４の液体収納製品のバリエーションとして、実施例１２と同様、液体排出ヘッドとして上面に開口を持ち、当該上面開口を塞ぐ蓋を備えた蓋付きの液体排出ヘッドを用いた例である。
実施例１３の液体収納製品は、実施例１１に示した構成において、液体排出ヘッド１０Ｍの代わりに、この液体排出ヘッド１０Ｑを用いたものである。
【００６６】
図５２は、本発明の実施例１３の液体収納製品を分解してその構成部品を模式的に示した図（右側面図）である。実施例１３の液体収納製品も液体排出ヘッド１０Ｑ、ホルダー１００Ｑ、液体容器２００Ｑ、カバー１５０Ｑを備えている。なお、図５２にはカバー１５０Ｑの図示を省略している。なお、ホルダーは持ちやすいように取っ手１２５Ｑを備えている。
図５３は、実施例１３の液体排出ヘッド１０Ｑの６面図と、蓋を開いた様子を示す参考図である。なお、背面図、右側面図、左側面図は正面図と同じであり図示を省略している。
蓋付ヘッドキャップである液体排出ヘッド１０Ｑは、ヘッドキャップ１５Ｑと、蓋２３Ｑと、上面開口１７Ｑを備えている。蓋２３Ｑは上面開口１７Ｑを形成する筒口２４Ｑに対して螺合により取り付けられている。
液体排出ヘッド１０Ｑは、上面開口を持ち、当該上面開口を塞ぐ蓋を備えた蓋付きのヘッドキャップとなっている。当該蓋はヘッドキャップに対して螺合式で取り付ける。液体排出ヘッド１０Ｑのヘッドキャップ１５Ｑが液体容器２００Ｑに対して螺合式で取り付けられるものとすると、実施例１３の液体排出ヘッド１０Ｑは、下方において液体容器２００Ｑと螺合し合い、上方において蓋２３Ｑと螺合し合う構造となっている。
【００６７】
図５４は、実施例１３のカバー１５０Ｑの６面図を示す図である。図３４のカバー１５０ｋと同様の形状であるが、この実施例１３のカバー１５０Ｑでは、ホルダーの取っ手１２５Ｑに対応する切り欠き１５３Ｑが設けられている。カバー１５０Ｑをホルダー１００Ｑに被せて装着した場合、取っ手１２５Ｑがあっても切り欠き１５３Ｑが設けられているので邪魔することなく装着することができる。
図５５は、実施例１３の液体収納製品を組み立てる作業手順を模式的に示した図である。組み立て手順は実施例１１と同様で良い。
図５６は液体を注ぎ出す様子を示す図である。
【実施例１４】
【００６８】
本発明の第１から第４のいずれの液体収納製品においても、ホルダー筒口の側面開口、支持体の切り欠き、ホルダーボディの壁面開口などが設けられている方向は、どの方向であっても良い。実施例１から実施例１３では、右側面側に側面開口１１２および壁面開口１２２が設けられており、液体容器２００をホルダー１００の右側面側から投入するものであったが、例えば、ホルダー１００の背面側に側面開口１１２および壁面開口１２２を設けた構造とし、液体容器２００をホルダー１００の背面側から投入するものであっても良い。
以上の実施例１から実施例１４は一例であって、本発明の液体収納製品は本発明の技術思想の範囲内で広く適用することができる。
【産業上の利用可能性】
【００６９】
本発明の液体収納製品は、多様な液体収納製品に適用することができる。
液体噴霧ヘッドを取り付けて利用することにより、いわゆる液体噴霧容器に適用することができる。また、ノズル形状を選択することにより、液体を霧状に噴霧するもの、泡状の噴霧するもの、複数の細い液流として噴霧するものなど多様なものが可能である。交換用パックの液体容器に詰める液体も特に限定されず、例えば、液体として、各種の薬剤、洗剤、化学剤など多様なものがある。
液体ポンプヘッドを取り付けて利用することにより、いわゆる液体ポンプ容器に適用することができる。交換用パックの液体容器に詰める液体も特に限定されず、例えば、液体として、各種のシャンプー、リンス、ボディソープなどの洗剤など多様なものがある。
上面開口を持つヘッドキャップを取り付けて利用することにより、いわゆるボトル容器に適用することができる。交換用パックの液体容器に詰める液体も特に限定されず、食器洗剤、コンタクトレンズ洗浄剤など多様なものがある。
開閉蓋付きヘッドキャップと取り付けて利用することにより、いわゆるキャップ付きボトル容器に適用することができる。交換用パックの液体容器に詰める液体も特に限定されず、醤油、ソース、天ぷら油、液体調味料、水、飲料、各種の薬剤、洗剤、化学剤など多様なものがある。
ホルダーとして、各種プラスチック、ガラス、金属など多様な素材を用いることができる。
【図面の簡単な説明】
【００７０】
【図１】本発明の実施例１の液体収納製品を分解してその構成部品を模式的に示した図
【図２】本発明の実施例１のホルダー１００の６面図を模式的に並べて示した図
【図３】本発明の実施例１の液体容器２００の６面図を模式的に並べて示した図
【図４】本発明の実施例１のホルダー筒口１１０、支持体１３０、液体容器筒体２１０の構造を詳しく示す図
【図５】本発明の実施例１の液体容器２００をホルダー１００に装着する様子を模式的に示す図
【図６】本発明の実施例１の液体容器筒体２１０を支持体１３０に取り付ける様子を模式的に示す図
【図７】本発明の実施例１の閉塞キャップ２３０の高さの工夫を説明する図
【図８】本発明の実施例１の液体噴霧ヘッド１０を装着する様子を模式的に示す図
【図９】本発明の実施例１の液体噴霧ヘッドの液体導入管１２の弾力性の工夫を説明する図
【図１０】本発明の実施例１のグリップ補強具の一例を示す図
【図１１】本発明の実施例１のグリップ補強具１４０をホルダー１００に装着する様子を説明する図
【図１２】本発明の実施例１のグリップ補強具を取り付ける場合の液体噴霧ヘッド１０を装着する様子を示す図
【図１３】本発明の実施例１のグリップ補強具１４０を取り付けた場合の液体収納製品の６面図
【図１４】本発明の実施例２の液体収納製品を分解してその構成部品を模式的に示した図
【図１５】本発明の実施例３の液体収納製品を分解してその構成部品を模式的に示した図
【図１６】本発明の実施例４の支持体１３０ｃと液体容器筒体２１０ｃとの垂直嵌合の様子を示す図
【図１７】本発明の実施例５の支持体１３０ｄと液体容器筒体２１０ｄとのフック方式による支持を示す図
【図１８】本発明の実施例６の支持体１３０ｅと液体容器筒体２１０ｅとのプラグコンセント方式による支持を模式的に説明する図
【図１９】本発明の実施例７の液体収納製品を分解してその構成部品を模式的に示した図
【図２０】本発明の実施例７のホルダー１００ｈの６面図を模式的に並べて示した図
【図２１】本発明の実施例７の液体容器２００ｈの６面図を模式的に並べて示した図
【図２２】ホルダー筒口１１０ｈ、支持体１３０ｈ、液体容器筒体２１０ｈの構造、取り付け手順を模式的に示す図
【図２３】本発明の実施例７のホルダー１００ｈに液体容器２００ｈを装着する様子を模式的に示す図
【図２４】本発明の実施例７のホルダー１００ｈにグリップ補強具１４０ｈを装着し、さらに液体噴霧ヘッド１０ｈを装着する手順を示す図
【図２５】グリップ補強具１４０ｈの高さを調整した例を示す図
【図２６】実施例７のヘッドキャップ１５ｈ、支持体１３０ｈ、構造体１１３ｈ、ホルダーボディ１２０ｈ、グリップ補強具１４０ｈの大きさの関係を説明する図
【図２７】本発明の実施例８の液体収納製品を分解してその構成部品を模式的に示した図
【図２８】本発明の実施例８のホルダー１００ｊの６面図
【図２９】本発明の実施例８のグリップ補強具１４０ｊの６面図
【図３０】本発明の実施例８の液体収納製品の６面図を模式的に並べて示したもの
【図３１】本発明の実施例９の液体収納製品を分解してその構成部品を模式的に示した図
【図３２】本発明の実施例９のホルダー１００ｋの６面図
【図３３】本発明の実施例９の液体容器２００ｋの６面図
【図３４】本発明の実施例９のカバー１５０ｋの一例を示す６面図
【図３５】本発明の実施例９の液体収納製品を組み立てる作業手順を模式的に示した図
【図３６】本発明の実施例９の液体収納製品の６面図
【図３７】本発明の実施例１０の液体収納製品を分解してその構成部品を模式的に示した図
【図３８】本発明の実施例１０のホルダー１００Ｌの６面図
【図３９】本発明の実施例１０の液体容器２００Ｌの６面図
【図４０】本発明の実施例１０の液体収納製品を組み立てる作業手順を模式的に示した図
【図４１】本発明の実施例１１の液体収納製品を分解してその構成部品を模式的に示した図
【図４２】本発明の実施例１１の液体排出ヘッド１０Ｍの６面図
【図４３】本発明の実施例１１のホルダー１００Ｍの６面図
【図４４】本発明の実施例１１の液体容器２００Ｍの６面図
【図４５】本発明の実施例１１のグリップ補強具１４０Ｍの一例を示す６面図
【図４６】本発明の実施例１１の液体収納製品を組み立てる作業手順を模式的に示した図
【図４７】本発明の実施例１１の液体収納製品全体を傾けて液体容器２００Ｍの内部の液体を流出させる様子を示す図
【図４８】液体容器本体２２０Ｍにおいて液体容器筒体２１０Ｍを封止するためのヒートシールや糊付けをする領域の工夫を説明する図
【図４９】実施例１２の液体排出ヘッド１０Ｎの６面図と、蓋を開いた様子を示す参考図
【図５０】実施例１２の液体収納製品を組み立てる作業手順を模式的に示した図
【図５１】本発明の実施例１２の液体収納製品全体を傾けて液体容器２００Ｎの内部の液体を流出させる様子を示す図
【図５２】本発明の実施例１３の液体収納製品を分解してその構成部品を模式的に示した図
【図５３】実施例１３の液体排出ヘッド１０Ｑの６面図と、蓋を開いた様子を示す参考図
【図５４】実施例１３のカバー１５０Ｑの６面図
【図５５】実施例１３の液体収納製品を組み立てる作業手順を模式的に示した図
【図５６】本発明の実施例１３の液体収納製品全体を傾けて液体容器２００Ｑの内部の液体を流出させる様子を示す図
【符号の説明】
【００７１】
１０  液体排出ヘッド
１５  ヘッドキャップ
１００  ホルダー
１１０  ホルダー筒口
１１１  上面開口
１１２  側面開口
１１３，１１４  ホルダー筒口の構造体
１２０  ホルダーボディ
１２１  上面開口
１２２  壁面開口
１３０  支持体
１４０  グリップ補強具
１５０  カバー
２００  液体容器
２１０  液体容器筒体
２１１  上面開口
２１２，２１３，２１４，２１５，２１６，２１７  液体容器筒体の構造体
２２０  液体容器本体
２３０  閉塞キャップ
【図１】
2005255215.tif 000003
【図２】
2005255215.tif 000004
【図３】
2005255215.tif 000005
【図４】
2005255215.tif 000006
【図５】
2005255215.tif 000007
【図６】
2005255215.tif 000008
【図７】
2005255215.tif 000009
【図８】
2005255215.tif 000010
【図９】
2005255215.tif 000011
【図１０】
2005255215.tif 000012
【図１１】
2005255215.tif 000013
【図１２】
2005255215.tif 000014
【図１３】
2005255215.tif 000015
【図１４】
2005255215.tif 000016
【図１５】
2005255215.tif 000017
【図１６】
2005255215.tif 000018
【図１７】
2005255215.tif 000019
【図１８】
2005255215.tif 000020
【図１９】
2005255215.tif 000021
【図２０】
2005255215.tif 000022
【図２１】
2005255215.tif 000023
【図２２】
2005255215.tif 000024
【図２３】
2005255215.tif 000025
【図２４】
2005255215.tif 000026
【図２５】
2005255215.tif 000027
【図２６】
2005255215.tif 000028
【図２７】
2005255215.tif 000029
【図２８】
2005255215.tif 000030
【図２９】
2005255215.tif 000031
【図３０】
2005255215.tif 000032
【図３１】
2005255215.tif 000033
【図３２】
2005255215.tif 000034
【図３３】
2005255215.tif 000035
【図３４】
2005255215.tif 000036
【図３５】
2005255215.tif 000037
【図３６】
2005255215.tif 000038
【図３７】
2005255215.tif 000039
【図３８】
2005255215.tif 000040
【図３９】
2005255215.tif 000041
【図４０】
2005255215.tif 000042
【図４１】
2005255215.tif 000043
【図４２】
2005255215.tif 000044
【図４３】
2005255215.tif 000045
【図４４】
2005255215.tif 000046
【図４５】
2005255215.tif 000047
【図４６】
2005255215.tif 000048
【図４７】
2005255215.tif 000049
【図４８】
2005255215.tif 000050
【図４９】
2005255215.tif 000051
【図５０】
2005255215.tif 000052
【図５１】
2005255215.tif 000053
【図５２】
2005255215.tif 000054
【図５３】
2005255215.tif 000055
【図５４】
2005255215.tif 000056
【図５５】
2005255215.tif 000057
【図５６】
2005255215.tif 000058